(57)【要約】  【課題】冷蔵室内に設置されたいずれの棚に食品を載せても、食品は所定の温度となり、また、食品が内箱に接触して凍結するという問題も起こさない。  【解決手段】内箱３の背面と棚の間の空間に内箱背面と隙間を設けて向かい合うように設けられた、表面が均一な温度分布を有するアルミプレート１５を利用して、第１の棚７、第２の棚８に載せた食品を均一に冷却し、圧縮機の停止中においても、冷蔵室冷却パイプ１９により冷却され比重の重くなった空気はアルミプレート１５により食品がさらされるのを防いでいるため、第２の棚８に載せた食品は、圧縮機の停止中に冷却され続けないので、第１の棚７、第２の棚８に載せた食品の温度差を小さくできる。また、アルミプレート１５が食品と内箱の背面との接触を防いでいるため、食品の凍結を完全に防止できる。【選択図】図２
2006234218.tif 000002
【特許請求の範囲】
【請求項１】
外箱と内箱で構成される空間に断熱材が充填され、蛇行形状を有する冷蔵室冷却パイプが前記内箱の背面の断熱材側に取り付けられた直冷式冷蔵庫の冷蔵室内において、少なくとも二つ以上の棚が内箱の背面と空間を設けるように水平配置され、前記空間には内箱背面と向かい合うようにアルミプレートを取り付けるとともに、アルミプレートと内箱間に隙間を確保するためのスペーサを配置し、アルミプレートの上端より上方に冷蔵室冷却パイプの上端が位置することを特徴とする冷蔵庫。
【請求項２】
外箱と内箱で構成される空間に断熱材が充填され、蛇行形状を有する冷蔵室冷却パイプが冷却プレートを介して前記内箱の背面の断熱材側に取り付けられた直冷式冷蔵庫の冷蔵室内において、少なくとも二つ以上の棚が内箱の背面と空間を設けるように水平配置され、前記空間には内箱背面と向かい合うようにアルミプレートを取り付けるとともに、アルミプレートと内箱間に隙間を確保するためのスペーサを配置し、アルミプレートの上端より上方に冷蔵室冷却パイプの上端が位置することを特徴とする冷蔵庫。
【請求項３】
水の接触角度が３０度以下となる材質のアルミプレートが取り付けられたことを特徴とする請求項１または２に記載の冷蔵庫。
【発明の詳細な説明】
【技術分野】
【０００１】
本発明は、冷蔵庫の冷却器に関するものである。
【背景技術】
【０００２】
従来より小型の冷蔵庫においては、直接冷却方式が一般的に採用されている（例えば特許文献１参照）。
【０００３】
図８は従来の冷蔵庫の断面図、図９は従来の冷蔵室の正面図、図１０は従来の冷蔵庫の内箱の背面斜視図である。
【０００４】
１は冷蔵庫本体で外箱２と内箱３で囲まれた空間に断熱材４が充填され、上室が冷蔵室５、下室が冷凍室６である。冷蔵室５には食品を載せる第１の棚７、第２の棚８が上下に備えられていて、冷却器９は、冷蔵室５を冷却するための蛇行形状を有する冷蔵室冷却パイプ１０と冷凍室６を冷却するための同じく蛇行形状を有する冷凍室冷却パイプ１１から成り、冷蔵室冷却パイプ１０は内箱３の背面の断熱材４側に、冷凍室冷却パイプ１１は内箱３の複数面の断熱材４側に取り付けられ、冷却器９からの熱伝導により冷却された内箱３が冷蔵室５及び冷凍室６を冷却している。第１の棚７、第２の棚８に載せられた食品が内箱３と接触し凍るのを防ぐため、第１の棚７、第２の棚８と内箱３の背面とは隙間が設けられている。１２は冷却器９に冷媒を供給するための圧縮機であり、圧縮機１２の運転と停止を繰り返すことで、冷蔵室５と冷凍室６は所定の温度に保たれている。この冷却方式は極めて単純であり、また安価でもあるため、小型機種に一般的に用いられている。
【特許文献１】特開平７−１２０１０８号公報
【発明の開示】
【発明が解決しようとする課題】
【０００５】
しかしながら、上記従来例に記載されている冷蔵庫の冷蔵室においては、圧縮機運転中は、第１の棚、第２の棚に載せた食品は共に冷却されるが、圧縮機停止中においても冷蔵室冷却パイプにより冷却され比重の重くなった空気は冷蔵室の下方に移動するため、冷蔵室の下に位置する第２の棚に載せた食品は冷やされ続けるため、上に位置する第１の棚に載せた食品と下に位置する第２の棚に載せた食品の温度差が大きくなる傾向があった。また、第１の棚、第２の棚と内箱の背面とは隙間が設けられているが、食品が棚を乗り越えて内箱の背面に接触する場合もあり、食品が凍るという問題は完全には解決していなかった。
【０００６】
本発明は上記課題に鑑み、冷蔵室のどの棚に食品を載せても、食品を所定の温度にすると共に、食品と内箱との接触を防ぎ食品の凍結を防止する冷蔵庫を提供するものである。
【課題を解決するための手段】
【０００７】
上記従来の課題を解決するために、内箱の背面と棚の間の空間に内箱背面と向かい合うようにアルミプレートを取り付けるとともに、アルミプレートと内箱間に隙間を確保するためのスペーサを配置させ、アルミプレートの上端より上方に冷蔵室冷却パイプの上端が位置することを特徴としたものである。
【０００８】
これによって、圧縮機の運転中は、冷蔵室冷却パイプにより内箱が冷却され、内箱によりアルミプレートが冷却され、第１の棚、第２の棚に載せた食品はそのアルミプレートにより冷やされる。アルミプレートは熱伝導性が良いため、アルミプレートの表面の温度分布は均一であり、圧縮機の運転中の第１の棚、第２の棚のいずれの棚に載せた食品の温度差は少ない。
【０００９】
また、本発明の冷蔵庫は、内箱の背面と棚の間の空間に内箱背面と向かい合うようにアルミプレートを取り付けるとともに、アルミプレートと内箱間に隙間を確保するためのスペーサを配置させ、アルミプレートの上端より上方に冷蔵室冷却パイプの上端が位置し、冷蔵室冷却パイプが冷却プレートを介して内箱に取り付けられたことを特徴としたものである。
【００１０】
これによって、圧縮機の運転中は、冷蔵室冷却パイプにより冷却プレートが冷却され、冷却プレートにより内箱が冷却され、内箱によりアルミプレートが冷却され、第１の棚、第２の棚に載せた食品はそのアルミプレートにより冷やされる。アルミプレートは熱伝導性が良いため、アルミプレートの表面の温度分布は均一であり、圧縮機の運転中の第１の棚、第２の棚のいずれの棚に載せた食品の温度差は少ない。また、冷蔵室冷却パイプの上端はアルミプレートの上端より上方に位置しているため、第１の棚の前部にも冷気を届けることができる。
【発明の効果】
【００１１】
本発明の冷蔵庫は、圧縮機の運転中および停止中でも、第１の棚、第２の棚のいずれの棚に載せた食品の温度差を小さくできる。また、アルミプレートが食品と内箱の背面との接触を防いでいるため、食品の凍結を完全に防止できる。
【発明を実施するための最良の形態】
【００１２】
請求項１に記載の発明は、内箱の背面と棚の間の空間に内箱背面と向かい合うようにアルミプレートを取り付けるとともに、アルミプレートと内箱間に隙間を確保するためのスペーサを配置させ、アルミプレートの上端より上方に冷蔵室冷却パイプの上端を位置させたので、圧縮機の運転中は、冷蔵室冷却パイプにより内箱が冷却され、内箱によりアルミプレートが冷却され、第１の棚、第２の棚に載せた食品はそのアルミプレートにより冷やされる。アルミプレートは熱伝導性が良いため、アルミプレートの表面の温度分布は均一であり、圧縮機の運転中の第１の棚、第２の棚のいずれの棚に載せた食品の温度差は少ない。また、冷蔵室冷却パイプの上端はアルミプレートの上端より上方に位置しているため、第１の棚の前部にも冷気を届けることができる。圧縮機の停止中においては、冷蔵室冷却パイプにより冷却され比重の重くなった空気はアルミプレートと内箱で構成される空間の下方に移動するが、アルミプレートが遮蔽板となって、その冷えた空気に第２の棚に載せた食品がさらされるのを防いでいるため、第２の棚に載せた食品は、圧縮機の停止中に冷却され続けず、また、圧縮機の停止中においてもアルミプレートの表面温度は均一であるので、圧縮機の停止中の第１の棚、第２の棚のいずれの棚に載せた食品の温度差は少ない。以上のことより、第１の棚、第２の棚、いずれの棚に載せた食品の温度差は少ない。また、アルミプレートが食品と内箱の背面との接触を防いでいるため、食品の凍結を完全に防止できる。
【００１３】
請求項２に記載の発明は、内箱の背面と棚の間の空間に内箱背面と向かい合うようにアルミプレートを取り付けるとともに、アルミプレートと内箱間に隙間を確保するためのスペーサを配置させ、アルミプレートの上端より上方に冷蔵室冷却パイプの上端が位置し、冷蔵室冷却パイプが冷却プレートを介して内箱に取り付けられているので、圧縮機の運転中は、冷蔵室冷却パイプにより冷却プレートが冷却され、冷却プレートにより内箱が冷却され、内箱によりアルミプレートが冷却され、第１の棚、第２の棚に載せた食品はそのアルミプレートにより冷やされる。アルミプレートは熱伝導性が良いため、アルミプレートの表面の温度分布は均一であり、圧縮機の運転中の第１の棚、第２の棚のいずれの棚に載せた食品の温度差は少ない。また、冷蔵室冷却パイプの上端はアルミプレートの上端より上方に位置しているため、第１の棚の前部にも冷気を届けることができる。圧縮機の停止中においては、冷蔵室冷却パイプにより冷却され比重の重くなった空気はアルミプレートと内箱で構成される空間の下方に移動するが、アルミプレートが遮蔽板となって、その冷えた空気に第２の棚に載せた食品がさらされるのを防いでいるため、第２の棚に載せた食品は、圧縮機の停止中に冷却され続けず、また、圧縮機の停止中においてもアルミプレートの表面温度は均一であるので、圧縮機の停止中の第１の棚、第２の棚のいずれの棚に載せた食品の温度差は少ない。以上のことより、第１の棚、第２の棚、いずれの棚に載せた食品の温度差は少ない。また、アルミプレートが食品と内箱の背面との接触を防いでいるため、食品の凍結を完全に防止できる。さらに、内箱に冷却プレートが取り付けられているため、内箱への伝熱面積が高められ、冷却効率の向上を図ることができ、圧縮機の運転率は低下し、電気代を安くできる。
【００１４】
請求項３に記載の発明は、請求項１または２に記載の発明において、水の接触角度が３０度以下となる材質のアルミプレートを取り付けたので、アルミプレートに付着した水の表面張力が大きくなり、圧縮機停止時にアルミプレートに付着した水の蒸発を促進するので、冷蔵室内が高湿となり食品の保鮮性は向上する。
【００１５】
以下、本発明の実施の形態について、図面を参照しながら説明する。但し、外箱２、内箱３、断熱材４、冷凍室６、第１の棚７、第２の棚８、冷凍室冷却パイプ１１、圧縮機１２は従来例と同一であり詳細な説明は省略する。なお、この実施の形態によってこの発明が限定されるものではない。
【００１６】
（実施の形態１）
図１は本発明の実施の形態１における冷蔵庫の断面図である。図２は本発明の実施の形態１における冷蔵室の正面図である。図３は本発明の実施の形態１における冷蔵庫の内箱の背面斜視図である。
【００１７】
図１，２，３において１３は冷蔵庫本体であり、上室の冷蔵室１４の背面には、第１の棚７及び第２の棚８と内箱３との空間に、アルミプレート１５がスペーサ１６を介して取り付け部材１７にて内箱３に取り付けられている。スペーサ１６により、アルミプレート１５と内箱３の背面とは隙間が設けられている。１８は冷却器であり、冷蔵室１４を冷却するための蛇行形状を有する冷蔵室冷却パイプ１９と冷凍室６を冷却するための同じく蛇行形状を有する冷凍室冷却パイプ１１から成り、冷蔵室冷却パイプ１９の上端１９ａはアルミプレート１５の上端１５ａより上方に位置している。
【００１８】
以上のように構成された冷蔵庫について、以下その動作、作用について説明する。
【００１９】
圧縮機１２の運転中は、冷蔵室冷却パイプ１９により内箱３が冷却され、内箱３によりアルミプレート１５が冷却され、第１の棚７、第２の棚８に載せた食品はそのアルミプレート１５により冷やされる。アルミプレート１５は熱伝導性が良いため、アルミプレート１５の表面の温度分布は均一であり、圧縮機１２の運転中の第１の棚７、第２の棚８のいずれの棚に載せた食品の温度差は少ない。また、冷蔵室冷却パイプ１９の上端１９ａはアルミプレート１５の上端１５ａより上方に位置しているため、第１の棚７の前部にも冷気を届けることができる。圧縮機１２の停止中においては、冷蔵室冷却パイプにより冷却され比重の重くなった空気はアルミプレート１５の下方に溜まるが、アルミプレート１５がその冷えた空気に第２の棚８に載せた食品がさらされるのを防いでいるため、第２の棚８に載せた食品は、圧縮機１２の停止中に冷却され続けず、また、圧縮機１２の停止中のアルミプレート１５の表面温度は均一であるので、圧縮機１２の停止中の第１の棚７、第２の棚８のいずれの棚に載せた食品の温度差は少ない。以上のことより、第１の棚７、第２の棚８、いずれの棚においても食品の温度差は少ない。また、アルミプレート１５が食品と内箱３の背面との接触を防いでいるため、食品の凍結を完全に防止できる。
【００２０】
（実施の形態２）
図４は本発明の実施の形態２における冷蔵庫の断面図である。図５は本発明の実施の形態２における冷蔵庫の内箱の背面斜視図である。
【００２１】
図４、図５において、２０は冷蔵庫本体であり、上室の冷蔵室２１の背面には、第１の棚７及び第２の棚８と内箱３との空間に、アルミプレート１５がスペーサ１６を介して取り付け部材１７にて内箱３に取り付けられている。スペーサ１６により、アルミプレート１５と内箱３の背面とは隙間が設けられている。２２は冷却器であり、冷蔵室２１を冷却するための蛇行形状を有する冷蔵室冷却パイプ２３と冷凍室６を冷却するための同じく蛇行形状を有する冷凍室冷却パイプ１１から成り、冷蔵室冷却パイプ２３は冷却プレート２４を介して内箱３に取り付けられている。冷蔵室冷却パイプ２３の上端２３ａはアルミプレート１５の上端１５ａより上方に位置している。
【００２２】
以上のように構成された冷蔵庫について、以下その動作、作用について説明する。
【００２３】
圧縮機１２の運転中は、冷蔵室冷却パイプ２３により冷却プレート２４が冷却され、冷却プレート２４より内箱３が冷却される。アルミプレート１５は、内箱３より冷却されるので、第１の棚７、第２の棚８に載せた食品はそのアルミプレート１５により冷やされる。アルミプレート１５は熱伝導性が良いため、アルミプレート１５の表面の温度分布は均一であり、圧縮機１２の運転中の第１の棚７、第２の棚８のいずれの棚に載せた食品の温度差は少ない。また、冷蔵室冷却パイプ２３の上端２３ａはアルミプレート１５の上端１５ａより上方に位置しているため、第１の棚７の前部にも冷気を届けることができる。圧縮機１２の停止中においては、冷蔵室冷却パイプ２３により冷却され比重の重くなった空気はアルミプレート１５の下方に溜まるが、アルミプレート１５がその冷えた空気に第２の棚８に載せた食品がさらされるのを防いでいるため、第２の棚８に載せた食品は、圧縮機１２の停止中に冷却され続けず、また、圧縮機１２の停止中のアルミプレート１５の表面温度は均一であるので、圧縮機１２の停止中の第１の棚７、第２の棚８のいずれの棚に載せた食品の温度差は少ない。以上のことより、第１の棚７、第２の棚８、いずれの棚においても食品の温度差は少ない。また、アルミプレート１５が食品と内箱３の背面との接触を防いでいるため、食品の凍結を完全に防止できる。さらに、冷蔵室冷却パイプ２３による熱伝導により、冷却プレート２４全域が冷却されるので、内箱３への熱伝導面積が拡大でき、冷却効率が高まり圧縮機１２の運転率は低下する。これによって、電気代を安くすることができる。
【００２４】
（実施の形態３）
図６は本発明の実施の形態３における冷蔵庫の断面図である。図７は本発明の実施の形態３における冷蔵室の正面図である。
【００２５】
図６、図７において、２５は冷蔵庫本体であり、上室の冷蔵室２６の背面には、第１の棚７及び第２の棚８と内箱３との空間に、水の接触角が３０度以上の材質からなるアルミプレート２７がスペーサ１６を介して取り付け部材１７にて内箱３に取り付けられている。スペーサ１６により、アルミプレート２７と内箱３の背面とは隙間が設けられている。１８は冷却器であり、冷蔵室２６を冷却するための蛇行形状を有する冷蔵室冷却パイプ１９と冷凍室６を冷却するための同じく蛇行形状を有する冷凍室冷却パイプ１１から成り、冷蔵室冷却パイプ１９の上端１９ａはアルミプレート２７の上端２７ａより上方に位置している。
【００２６】
以上のように構成された冷蔵庫について、以下その動作、作用について説明する。
【００２７】
圧縮機１２の運転中は、冷蔵室冷却パイプ１９により内箱３が冷却され、内箱３によりアルミプレート２７が冷却され、第１の棚７、第２の棚８に載せた食品はそのアルミプレート２７により冷やされる。アルミプレート２７は熱伝導性が良いため、アルミプレート２７の表面の温度分布は均一であり、圧縮機１２の運転中の第１の棚７、第２の棚８のいずれの棚に載せた食品の温度差は少ない。また、冷蔵室冷却パイプ１９の上端１９ａはアルミプレート２７の上端２７ａより上方に位置しているため、第１の棚７の前部にも冷気を届けることができる。圧縮機１２の停止中においては、冷蔵室冷却パイプ１９により冷却され比重の重くなった空気はアルミプレート２７の下方に溜まるが、アルミプレート２７がその冷えた空気に第２の棚８に載せた食品がさらされるのを防いでいるため、第２の棚８に載せた食品は、圧縮機１２の停止中に冷却され続けず、また、圧縮機１２の停止中のアルミプレート２７の表面温度は均一であるので、圧縮機１２の停止中の第１の棚７、第２の棚８のいずれの棚に載せた食品の温度差は少ない。以上のことより、第１の棚７、第２の棚８、いずれの棚においても食品の温度差は少ない。また、アルミプレート２７が食品と内箱３の背面との接触を防いでいるため、食品の凍結を完全に防止できる。さらに、アルミプレート２７が水の接触角度３０度以上の材質であるため、圧縮機１２の運転中に冷却されたアルミプレート２７に付着した水分の表面積は大きく、圧縮機１２停止中に水分は周囲から熱をもらい蒸発がさかんに起こる。このため、冷蔵室２６内の湿度は高湿であり、食品の保鮮性は向上する。
【産業上の利用可能性】
【００２８】
以上のように、本発明にかかる冷蔵庫は、圧縮機の運転中および停止中でも、第１の棚、第２の棚のいずれの棚に載せた食品の温度差を小さくできる。また、アルミプレートが食品と内箱の背面との接触を防いでいるため、食品の凍結を完全に防止できるので、食品貯蔵庫等の用途にも適用できる。
【図面の簡単な説明】
【００２９】
【図１】本発明の実施の形態１における冷蔵庫の断面図
【図２】本発明の実施の形態１における冷蔵庫の冷蔵室の正面図
【図３】本発明の実施の形態１における冷蔵庫の内箱の背面斜視図
【図４】本発明の実施の形態２における冷蔵庫の断面図
【図５】本発明の実施の形態２における冷蔵庫の内箱の背面斜視図
【図６】本発明の実施の形態３における冷蔵庫の断面図
【図７】本発明の実施の形態３における冷蔵庫の冷蔵室の正面図
【図８】従来の冷蔵庫の断面図
【図９】従来の冷蔵室の正面図
【図１０】従来の冷蔵庫の内箱の背面斜視図
【符号の説明】
【００３０】
２    外箱
３    内箱
４    断熱材
７    第１の棚
８    第２の棚
１４  冷蔵室
１５  アルミプレート
１５ａ  アルミプレート上端
１６  スペーサ
１９  冷蔵室冷却パイプ
１９ａ  冷蔵室冷却パイプ上端
２１  冷蔵室
２３  冷蔵室冷却パイプ
２３ａ  冷蔵室冷却パイプ上端
２４  冷却プレート
２６  冷蔵室
２７  アルミプレート
２７ａ  アルミプレート上端
【図１】
2006234218.tif 000003
【図２】
2006234218.tif 000004
【図３】
2006234218.tif 000005
【図４】
2006234218.tif 000006
【図５】
2006234218.tif 000007
【図６】
2006234218.tif 000008
【図７】
2006234218.tif 000009
【図８】
2006234218.tif 000010
【図９】
2006234218.tif 000011
【図１０】
2006234218.tif 000012